(57)【要約】      （修正有）【課題】有用なログを効率的に記録してログの記憶領域を省減することのできる画像形成装置及びログ記録方法を提供する。【解決手段】予め設定された第１監視事象が画像形成装置で発生した場合は前記第１監視事象に対応する予め設定された第１ログ項目の情報が記録されると共に、予め設定された特定事象が前記画像形成装置で発生した場合は（Ｓ１のＹｅｓ側）、前記特定事象に対応する予め設定された第２監視事象の監視が開始され（Ｓ２）、前記第２監視事象が発生した場合に（Ｓ４のＹｅｓ側）、前記第２監視事象に対応する予め設定された第２ログ項目の情報が記録される（Ｓ４）。【選択図】図５
2014215740.tif 000002
【特許請求の範囲】
【請求項１】
予め設定された第１監視事象が画像形成装置で発生した場合に前記第１監視事象に対応する予め設定された第１ログ項目の情報を記録する第１ログ記録手段と、
予め設定された特定事象が前記画像形成装置で発生した場合に前記特定事象に対応する予め設定された第２監視事象の監視を開始し、前記第２監視事象が発生した場合に前記第２監視事象に対応する予め設定された第２ログ項目の情報を記録する第２ログ記録手段と、
を備える画像形成装置。
【請求項２】
前記第２ログ記録手段が、前記第２監視事象が終了した場合、前記第２監視事象の終了後に予め設定された第１監視期間が経過した場合、又は前記第２監視事象の発生後に予め設定された第２監視期間が経過した場合に、前記第２監視事象の監視を終了する請求項１に記載の画像形成装置。
【請求項３】
前記特定事象が、セキュリティ侵害、設定変更、消耗品の交換、及びメンテナンス開始のいずれか一つ又は複数を含む請求項１又は２に記載の画像形成装置。
【請求項４】
前記第２監視事象が、ネットワークからのアクセス、ネットワークへのアクセス、プリント処理の実行、基本機能の使用、及び不具合の発生のいずれか一つ又は複数を含む請求項１〜３のいずれかに記載の画像形成装置。
【請求項５】
前記第２ログ項目が、前記画像形成装置の通信先を識別する識別情報を含む請求項１〜４のいずれかに記載の画像形成装置。
【請求項６】
情報を記憶する記憶手段を備え、
前記第１ログ記録手段及び前記第２ログ記録手段が、前記記憶手段に前記第１ログ項目及び前記第２ログ項目の情報を記録する請求項１〜５のいずれかに記載の画像形成装置。
【請求項７】
予め設定された第１監視事象が画像形成装置で発生した場合に前記第１監視事象に対応する予め設定された第１ログ項目の情報を記録する第１ログ記録ステップと、
予め設定された特定事象が前記画像形成装置で発生した場合に前記特定事象に対応する予め設定された第２監視事象の監視を開始し、前記第２監視事象が発生した場合に前記第２監視事象に対応する予め設定された第２ログ項目の情報を記録する第２ログ記録ステップと、
を含む画像形成装置におけるログ記録方法。
【発明の詳細な説明】
【技術分野】
【０００１】
本発明は、ログを記録する機能を有する画像形成装置、及び画像形成装置におけるログ記録方法に関する。
【背景技術】
【０００２】
一般に、画像形成装置では、異常の原因などを特定するために、動作の履歴を示すログがＲＡＭ等の記憶手段に記録される。例えば、プリント処理の実行要求が行われた場合には、その実行要求の日時、実行要求の内容、及び実行要求を行ったユーザーなどの情報がログとして記録される。
【０００３】
ところで、画像形成装置において記録されるログが詳細であるほど、画像形成装置における故障又はエラーなどの異常の原因を容易に特定することができる。一方、多量のログが記録されると、そのログの解析に多大な手間及び時間を要する。これに対し、例えば、ログ解析時に解析対象となる情報を絞り込むための技術が知られている（例えば特許文献１参照）。
【先行技術文献】
【特許文献】
【０００４】
【特許文献１】特開２００３−２８０９４５号公報
【発明の概要】
【発明が解決しようとする課題】
【０００５】
しかしながら、画像形成装置におけるログが詳細に記録される構成では、多量のログを記録するために十分な記憶容量を確保する必要がある。例えば、画像形成装置内のＲＡＭ及びハードディスク等の記憶手段、又は前記画像形成装置から出力されるログを記憶する外部の記憶手段に確保するべき記憶容量が多くなる。
【０００６】
本発明の目的は、有用なログを効率的に記録してログの記憶容量を省減することのできる画像形成装置及び画像形成装置におけるログ記録方法を提供することにある。
【課題を解決するための手段】
【０００７】
本発明の一の局面に係る画像形成装置は、第１ログ記録手段及び第２ログ記録手段を備える。前記第１ログ記録手段は、予め設定された第１監視事象が画像形成装置で発生した場合に前記第１監視事象に対応する予め設定された第１ログ項目の情報を記録する。前記第２ログ記録手段は、予め設定された特定事象が前記画像形成装置で発生した場合に前記特定事象に対応する予め設定された第２監視事象の監視を開始し、前記第２監視事象が発生した場合に前記第２監視事象に対応する予め設定された第２ログ項目の情報を記録する。
【０００８】
本発明の他の局面に係る画像形成装置におけるログ記録方法は、第１ログ記録ステップ及び第２ログ記録ステップを含む。前記第１ログ記録ステップは、予め設定された第１監視事象が画像形成装置で発生した場合に前記第１監視事象に対応する予め設定された第１ログ項目の情報を記録する。前記第２ログ記録ステップは、予め設定された特定事象が前記画像形成装置で発生した場合に前記特定事象に対応する予め設定された第２監視事象の監視を開始し、前記第２監視事象が発生した場合に前記第２監視事象に対応する予め設定された第２ログ項目の情報を記録する。
【発明の効果】
【０００９】
本発明によれば、有用なログを効率的に記録してログの記憶容量を省減することのできる画像形成装置及び画像形成装置におけるログ記録方法を提供することができる。
【図面の簡単な説明】
【００１０】
【図１】本発明の実施の形態に係る複合機の概略構成を示す模式図。
【図２】本発明の実施の形態に係る複合機のシステム構成を示すブロック図。
【図３】本発明の実施の形態に係る複合機で使用される監視事象情報の一例を示す図。
【図４】本発明の実施の形態に係る複合機で使用されるログ項目情報の一例を示す図。
【図５】本発明の実施の形態に係る複合機で実行される追加ログ記録処理の手順の一例を示すフローチャート。
【図６】本発明の実施の形態に係る複合機で使用される特定事象情報の一例を示す図。
【発明を実施するための形態】
【００１１】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１２】
＜複合機１０の概略構成＞
まず、図１を参照しつつ、本発明の実施の形態に係る複合機１０の概略構成について説明する。
【００１３】
図１に示すように、前記複合機１０は、ＡＤＦ１、画像読取部２、画像形成部３、給紙部４、制御部５、及び操作表示部６などを備える。なお、前記複合機１０は、本発明の画像形成装置の一例に過ぎず、プリンター、コピー機、及びファクシミリ装置なども本発明に係る画像形成装置に該当する。
【００１４】
前記操作表示部６は、前記複合機１０の外面に設けられている。前記操作表示部６は、前記制御部５からの制御指示に応じて各種の情報を表示する液晶ディスプレイなどの表示部を有する。また、前記操作表示部６は、ユーザー操作に応じて前記制御部５に各種の情報を入力するハードキー又はタッチパネルなどの操作部を有する。
【００１５】
前記ＡＤＦ１は、不図示のモーターで搬送ローラー１２各々を駆動させることにより、原稿載置部１１にセットされた原稿を前記画像読取部２による画像読取位置を通過させて排紙トレイ１３まで搬送する原稿自動送り装置である。
【００１６】
前記画像読取部２は、原稿台２１、光源ユニット２２、ミラー２３、２４、光学レンズ２５、及びＣＣＤ（Charge Coupled Device）２６などを備える画像読取手段である。前記原稿台２１は、前記画像読取部２の上面に設けられた原稿の載置部である。前記読取ユニット２２は、ＬＥＤ光源２２１及びミラー２２２を備え、不図示のモーターによって副走査方向（図１における左右方向）に移動可能である。前記ＬＥＤ光源２２１は、主走査方向（図１における奥行き方向）に沿って配列された多数の白色ＬＥＤを備える。前記ミラー２２２は、前記ＬＥＤ光源２２１から照射されて前記原稿台２１上の読取位置にある前記原稿の表面で反射した後の光を前記ミラー２３に向けて反射させる。そして、前記ミラー２２２で反射した光は、前記ミラー２３、２４によって前記光学レンズ２５に導かれる。前記光学レンズ２５は、入射した光を集光して前記ＣＣＤ２６に入射させる。前記ＣＣＤ２６は、前記光学レンズ２５から入射される光の受光量に応じた電気信号を前記原稿の画像データとして前記制御部５に入力する光電変換素子などを有する。
【００１７】
前記画像形成部３は、前記画像読取部２で読み取られた画像データ、又は外部のパーソナルコンピューター等の情報処理装置から入力された画像データに基づいて画像形成処理（印刷処理）を実行する電子写真方式の画像形成手段である。具体的に、前記画像形成部３は、搬送部３０、感光体ドラム３１、帯電装置３２、露光装置（ＬＳＵ）３３、現像装置３４、転写ローラー３５、クリーニング装置３６、定着ローラー３７、加圧ローラー３８、及び排紙トレイ３９などを備える。
【００１８】
一方、前記給紙部４は、前記複合機１０に対して着脱可能な給紙カセット４１に収容された紙などのシートを前記画像形成部３に供給する。そして、前記画像形成部３に供給されたシートは、前記搬送部３０により前記感光体ドラム３１及び前記転写ローラー３５を経て前記定着ローラー３７及び前記加圧ローラー３８を通過した後、排紙トレイ３９に排出される。このとき、前記画像形成部３では、前記給紙部４から供給されて前記搬送部３０により搬送されるシートに画像を形成する画像形成処理が以下の手順で実行される。
【００１９】
まず、前記帯電装置３２によって前記感光体ドラム３１が所定の電位に一様に帯電される。次に、前記露光装置３３により前記感光体ドラム３１の表面に画像データに基づく光が照射される。これにより、前記感光体ドラム３１の表面に画像データに対応する静電潜像が形成される。そして、前記感光体ドラム３１上の静電潜像は前記現像装置３４によって磁性トナーにより現像（可視像化）される。なお、前記現像装置３４には、前記画像形成部３に着脱可能なトナーコンテナ３４Ａから磁性トナーが補給される。続いて、前記感光体ドラム３１に形成されたトナー像は前記転写ローラー３５によってシートに転写される。その後、シートに転写されたトナー像は、そのシートが前記定着ローラー３７及び前記加圧ローラー３８の間を通過する際に前記定着ローラー３７で加熱されて溶融定着する。なお、前記画像形成部３による前記画像形成処理後に前記感光体ドラム３１の表面に残存する前記磁性トナーは前記クリーニング装置３６によって除去される。
【００２０】
次に、図２を参照しつつ、前記複合機１０のシステム構成について説明する。
【００２１】
図２に示すように、前記複合機１０は、記憶装置７及び通信Ｉ／Ｆ８を更に備える。前記記憶装置７は、各種の情報を記憶するハードディスク又はＳＳＤなどの記憶手段である。前記通信Ｉ／Ｆ８は、前記複合機１０を有線又は無線でインターネット又はＬＡＮ等のネットワークに接続し、前記ネットワークを介して外部装置との間でデータ通信を実行する通信インターフェースである。
【００２２】
前記制御部５は、ＣＰＵ５１、ＲＯＭ５２、及びＲＡＭ５３などの制御機器を有するコンピューターである。前記ＣＰＵ５１は、各種の演算処理を実行するプロセッサーである。前記ＲＯＭ５２は、前記ＣＰＵ５１に各種の処理を実行させるための制御プログラムなどの情報が予め記憶される不揮発性の記憶手段である。前記ＲＡＭ５３は、各種の情報を記憶する揮発性の記憶手段であり、前記ＣＰＵ５１が実行する各種の処理の一時記憶メモリー（作業領域）として使用される。
【００２３】
そして、前記制御部５は、前記ＲＯＭ５２に予め記憶された各種の制御プログラムを前記ＣＰＵ５１で実行することにより前記複合機１０を統括的に制御する。なお、前記制御部５は、集積回路（ＡＳＩＣ、ＤＳＰ）などの電子回路で構成されたものであってもよく、前記複合機１０を統括的に制御するメイン制御部と別に前記画像形成部３などに設けられたエンジン制御部であってもよい。
【００２４】
具体的に、前記制御部５の前記ＲＯＭ５２には、前記ＣＰＵ５１にログ記録処理及び後述の追加ログ記録処理などの処理を実行させるための制御プログラムが記憶されている。そして、前記制御部５は、前記ＣＰＵ５１によって前記制御プログラムに従って前記ログ記録処理を実行することにより、予め設定された第１監視事象が発生した場合に、その第１監視事象に対応する予め設定された第１ログ項目の情報をログとして前記ＲＡＭ５３に記憶させる。ここに、前記ログ記録処理が第１ログ記録ステップの一例であり、前記ログ記録処理を実行するときの前記制御部５が第１ログ記録手段の一例である。
【００２５】
ここに、図３には、前記制御部５が監視する前記第１監視事象が定められた監視事象情報Ｄ１１の一例が示されており、図４には、前記制御部５がログとして記録する前記第１ログ項目が定められたログ項目情報Ｄ１２の一例が示されている。具体的に、図３に示す前記監視事象情報Ｄ１１には、「監視機能の開始、終了」、「操作の実行要求」、「認証メカニズムの使用」、「利用者識別メカニズムの使用」、「管理機能の使用」、「時間の変更」、「セッションロックメカニズムによる対話セッションのロック」、「高信頼チャネル機能の失敗」、及び「高信頼パス機能の失敗」などの事象が前記第１監視事象として含まれる。一方、図４に示す前記第１ログ項目には、「イベントの日時」、「ユーザーＩＤ」、「イベントのタイプ」、「イベントの結果」、「操作の実行要求内容」、及び「管理機能の内容」などの項目が前記第１ログ項目として含まれる。
【００２６】
そして、前記複合機１０では、前記制御部５が、前記監視事象情報Ｄ１１に含まれた前記第１監視事象各々の発生を監視しており、前記第１監視事象が発生した場合に、前記第１監視事象に対応する前記第１ログ項目の情報を前記ＲＡＭ５３に記録する。なお、前記制御部５は、前記ＲＡＭ５３に記録した前記ログを、予め設定された所定期間の経過ごとに前記記憶装置７に記憶させる。なお、前記制御部５が、前記ＲＡＭ５３に記録した前記ログを、前記通信Ｉ／Ｆ８を介して接続された外部の情報処理装置などに出力することも考えられる。さらに、前記制御部５は、前記複合機１０に対するＵＳＢメモリー等の接続時などに、前記ＲＡＭ５３から前記ＵＳＢメモリーに前記ログを出力することも考えられる。
【００２７】
ところで、前記第１監視事象及び前記第１ログ項目が多い程、前記制御部５が前記ＲＡＭ５又は前記記憶装置７に記録する前記ログの情報量が多くなり、前記ＲＡＭ５又は前記記憶装置７に確保するべき記憶容量が増加する。これに対し、前記複合機１０では、前記制御部５が、通常は前記複合機１０で生じ得る多種の事象のうち予め設定された一部の事象だけが前記第１監視事象として設定されている。また、前記第１監視事象が発生した場合には前記第１監視事象に関する多種のログ項目のうち予め設定された一部のログ項目だけが前記第１ログ項目として設定されている。従って、前記ＲＡＭ５３又は前記記憶装置７に確保するべき記憶容量が省減される。但し、この場合には、前記ＲＡＭ５３に記録される前記ログの内容が前記第１監視事象及び前記第１ログ項目に限定される。
【００２８】
そこで、前記複合機１０では、前記制御部５が、前記制御プログラムに従って、前記ログ記録処理に加えて後述の追加ログ記録処理を実行する。これにより、前記複合機１０では、前記制御部５により、予め設定された特定事象の発生後は、予め設定された第２監視事象の監視が開始され、前記第２監視事象が発生した場合に、予め設定された第２ログ項目の情報が前記ＲＡＭ５３に記録される。ここに、前記追加ログ記録処理が第２ログ記録ステップの一例であり、前記追加ログ記録処理を実行するときの前記制御部５が第２ログ記録手段の一例である。
【００２９】
［追加ログ記録処理］
以下、図５を参照しつつ、前記制御部５によって実行される追加ログ記録処理の手順の一例について説明する。ここに、Ｓ１、Ｓ２、・・・は前記追加ログ記録処理の処理手順（ステップ）番号を表している。
【００３０】
＜ステップＳ１＞
まず、ステップＳ１において、前記制御部５は、前記複合機１０において、予め設定された特定事象が発生したか否かを判断する。ここで、前記制御部５は、前記特定事象が発生したと判断した場合（Ｓ１のＹｅｓ側）、処理をステップＳ２に移行させる。一方、前記特定事象が発生していない場合（Ｓ１のＮｏ側）、前記制御部５は処理をステップＳ３に移行させる。
【００３１】
ここに、図６には、前記特定事象の内容が予め設定された特定事象情報Ｄ１３の一例が示されている。図６に示す例では、前記特定事象情報Ｄ１３において、前記特定事象として、「セキュリティ侵害」、「設定変更」、「消耗品の交換」、及び「メンテナンス開始」などが含まれる。なお、「セキュリティ侵害」は、不正アクセスの試みの検知、又はポートスキャンの検知などであり、「設定変更」は、ネットワーク設定又はオプション機器着脱などである。また、「消耗品の交換」は、トナー交換又はペーパーエンプティ等であり、「メンテナンス開始」はサービスマンによるサービス開始などである。なお、前記特定事象は、単ある一例であって、前記特定事象にはその他の各種エラー等が含まれてもよい。
【００３２】
また、前記特定事象情報Ｄ１３では、前記特定事象各々に対応付けて、前記制御部５が追加で監視する事象として設定された第２監視事象と、前記第２監視事象の発生時に追加で記録するログの項目として設定された第２ログ項目とが記憶されている。具体的に、図６に示す前記特定事象情報Ｄ１３では、前記第２監視事象に、「ネットワークからのアクセス」、「ネットワークへのアクセス」、「プリント動作」、及び「基本機能使用、不具合」などが含まれる。また、前記特定事象情報Ｄ１３では、前記第２ログ項目に、「送信元ＩＰアドレス」、「送信元デバイス情報」、「相手先ＩＰアドレス」、及び「相手先デバイス情報」など、前記複合機１０の通信先を識別するための識別情報が含まれる。
【００３３】
より具体的に、前記特定事象情報Ｄ１３では、前記特定事象の「セキュリティ侵害」に対応する前記第２監視事象及び前記第２ログ項目として、「ネットワークからのアクセス」及び「送信元ＩＰアドレス、送信元デバイス情報」が設定されている。なお、「セキュリティ侵害」は、例えば前記複合機１０に対する不正アクセスの試行又はポートスキャンが検知されたこと等を示す。また、「ネットワークからのアクセス」は、例えば前記通信Ｉ／Ｆ８に対する外部からのアクセスが発生したことを示す。そして、「送信元ＩＰアドレス」は、例えば前記複合機１０にアクセスした外部の情報処理装置のＩＰアドレスであり、「送信元デバイス情報」は、例えば前記複合機１０にアクセスした外部の情報処理装置の機種名及びユーザー名などである。
【００３４】
＜ステップＳ２＞
ステップＳ２において、前記制御部５は、前記特定事象に対応する前記第２監視事象の監視を開始する。具体的に、前記制御部５は、前記対応情報Ｄ１３において前記特定事象に対応して設定された前記第２監視事象の監視を開始する。例えば、前記特定事象として「セキュリティ侵害」が発生した場合には、前記特定事象に対応する前記第２監視事象として設定された「ネットワークからのアクセス」の監視が開始される。同じく、前記特定事象として「設定変更」が発生した場合には、前記特定事象に対応する前記第２監視事象として設定された「ネットワークからのアクセス」及び「ネットワークへのアクセス」の監視が開始される。また、前記特定事象として「消耗品の交換」が発生した場合には、前記特定事象に対応する前記第２監視事象として設定された「プリント動作」の監視が開始される。さらに、前記特定事象として「メンテナンス開始」が発生した場合には、前記特定事象に対応する前記第２監視事象として設定された「基本機能使用、不具合」の監視が開始される。
【００３５】
＜ステップＳ３＞
ステップＳ３において、前記制御部５は、前記ステップＳ２で監視が開始された前記第２監視事象が発生したか否かを判断する。ここで、前記制御部５は、前記第２監視事象が発生したと判断した場合（Ｓ３のＹｅｓ側）、処理をステップＳ４に移行させる。一方、前記第２監視事象が発生していない場合（Ｓ３のＮｏ側）、前記制御部５は処理をステップＳ５に移行させる。
【００３６】
＜ステップＳ４＞
ステップＳ４において、前記制御部５は、前記ステップＳ３で発生したと判断された前記第２監視事象に関するログを前記ＲＡＭ５３に記録する。具体的に、前記制御部５は、前記ログ項目情報Ｄ１２及び前記対応情報Ｄ１３に基づいて、前記第２監視事象に関する前記第１ログ項目の情報と前記第２監視事象に対応する前記第２ログ項目の情報とをログとして前記ＲＡＭ５３に記憶させる。なお、前述したように、前記制御部５は、前記ＲＡＭ５３に記憶された前記ログを、予め設定された所定期間ごと又は予め設定された情報量に達するごとに前記ＲＡＭ５３から前記記憶装置７に転送する。
【００３７】
このように、前記複合機１０では、前記特定事象が発生したか否かに応じて前記制御部５によって記録されるログの内容が変更される。従って、前記特定事象が発生していない場合にまで前記第２監視事象に対応する前記第１ログ項目及び前記第２ログ項目などの情報を記録する場合に比べて、前記制御部５が前記ＲＡＭ５３に記録するログの情報量を省減することができる。これにより、前記ＲＡＭ５３及び前記記憶装置７にログの記憶容量として確保するべき記憶領域を省減することができる。
【００３８】
ところで、前記第２監視事象各々は、前記監視事象情報Ｄ１１において前記第１監視事象として設定されたものであってもよい。この場合、前記特定事象が発生した後に前記第２監視事象が発生した場合は、前記制御部５が、前記ログ項目情報Ｄ１２で設定された前記第１ログ項目の情報に加えて前記特定事象情報Ｄ１３で設定された前記第２ログ項目の情報を併せて前記ＲＡＭ５３に記録する。一方、前記特定事象が発生していない状態で前記第２監視事象が発生した場合には、前記制御部５が、前記ログ項目情報Ｄ１２で設定された前記第１ログ項目の情報のみを前記ＲＡＭ５３に記録する。
【００３９】
＜ステップＳ５＞
その後、ステップＳ５において、前記制御部５は、前記ステップＳ２で監視が開始された前記特定事象に対応して予め設定された監視終了条件が充足したか否かを判断する。前記監視終了条件は、例えば前記特定事象の終了、前記特定事象の終了から予め設定された第１監視期間の経過、又は前記特定事象の発生から予め設定された第２監視期間の経過などである。なお、前記監視終了条件は、前記特定事象の内容などに応じて前記特定事象ごとに設定されている。ここで、前記制御部５は、前記監視終了条件が充足したと判断した場合（Ｓ５のＹｅｓ側）、処理をステップＳ６に移行させる。一方、前記監視終了条件が充足していない場合（Ｓ５のＮｏ側）、前記制御部５は処理を前記ステップＳ１に戻す。
【００４０】
＜ステップＳ６＞
ステップＳ６において、前記制御部５は、前記ステップＳ５で前記監視終了条件が充足したと判断された前記特定事象の監視を終了し、処理を前記ステップＳ１に戻す。例えば、前記制御部５は、前記第２監視事象が終了した場合、前記第２監視事象の終了後に前記第１監視期間が経過した場合、又は前記第２監視事象の発生後に前記第２監視期間が経過した場合に、前記第２監視事象の監視を終了する。なお、複数の前記特定事象が発生している場合、前記制御部５は、前記特定事象のうち前記監視終了条件が充足したと判断された特定事象のみについて監視を終了させる。
【００４１】
以上説明したように、前記複合機１０では、前記特定事象が発生した場合にのみ、前記特定事象に対応する前記第２監視事象が監視対象に追加され、前記第２監視事象が発生した場合に前記第２ログ項目の情報が記録される。従って、前記複合機１０では、前記特定事象の解析に有用な前記第２監視事象に関するログを効率的に記録し、前記ログに基づいて前記特定事象及び前記第２監視事象の原因などを追求することが可能である。そして、前記複合機１０では、前記特定事象が発生するまでの間は、前記第２監視事象が発生しても前記第２ログ項目の情報が記録されない。そのため、初めから前記第１監視事象及び前記第２監視事象を監視対象として前記第１ログ項目及び前記第２ログ項目が記録される構成に比べて、前記ＲＡＭ５３又は前記記憶装置７にログの記録領域として確保するべき記憶容量を省減することが可能である。また、前記第２監視対象の監視処理及び前記第２ログ項目の記録処理が省略されるため、前記制御部５の処理負担が軽減される。
【符号の説明】
【００４２】
１  ：ＡＤＦ
２  ：画像読取部
３  ：画像形成部
４  ：給紙部
５  ：制御部
５１：ＣＰＵ
５２：ＲＯＭ
５３：ＲＡＭ
６  ：操作表示部
７  ：記憶装置
８  ：通信Ｉ／Ｆ
１０：複合機
【図１】
2014215740.tif 000003
【図２】
2014215740.tif 000004
【図３】
2014215740.tif 000005
【図４】
2014215740.tif 000006
【図５】
2014215740.tif 000007
【図６】
2014215740.tif 000008